(57)【特許請求の範囲】
【請求項１】
第一ディスクアセンブリと少なくとも一つの第二ディスクアセンブリとを含む脱毛装置であって、
当該装置の動作中、前記第一ディスクアセンブリ及び前記第二ディスクアセンブリが実質的に同じ方向に回転し、
前記第一ディスクアセンブリ及び前記第二ディスクアセンブリが互いに対して角度を付けて配置される、
ことを特徴とする脱毛装置。
【請求項２】
前記第一ディスクアセンブリが第一列に配置され、かつ、
前記第二ディスクアセンブリが第二列に配置され、
前記第一列及び前記第二列には、１７５°と１３５°との間の第一角度がある、
請求項１に記載の脱毛装置。
【請求項３】
前記第一角度は、１７０°と１４０°との間である、
請求項２に記載の脱毛装置。
【請求項４】
前記第一角度は、１６０°と１５０°との間である、
請求項２に記載の脱毛装置。
【請求項５】
第三ディスクアセンブリを更に含み、
前記第一ディスクアセンブリ及び前記第三ディスクアセンブリが互いに対して角度を付けて配置される、
請求項１乃至４の何れか一項に記載の脱毛装置。
【請求項６】
前記第一ディスクアセンブリが第一列に配置され、かつ、
前記第三ディスクアセンブリが第三列に配置され、
前記第一列及び前記第三列には、１７５°と１３５°との間の第二角度がある、
請求項５に記載の脱毛装置。
【請求項７】
前記第二角度は、１７０°と１４０°との間である、
請求項６に記載の脱毛装置。
【請求項８】
前記第二角度は、１６０°と１５０°との間である、
請求項６に記載の脱毛装置。
【発明の詳細な説明】
【技術分野】
【０００１】
本発明は、第一列に配置される第一ディスクアセンブリと第二列に配置される少なくとも一つの第二ディスクアセンブリとを含む脱毛装置に関し、その装置の動作中に、その第一ディスクアセンブリとその第二アセンブリとが（実質的に）同じ方向に回転する。
【背景技術】
【０００２】
上述のタイプの脱毛装置は、ＵＳ６８２４５４６Ｂ１で知られている。概して、脱毛処理は、毛を捕まえるステップ、毛をクランプするステップ、及び、最後に毛を引き抜くステップに分類され得る。毛を捕まえるのにうってつけの方向は、毛が自然に伸びる方向とは反対の方向である。効率的な脱毛装置でさえ一回のストロークで全ての毛を捕まえることはできないので、例えば、ＵＳ６８２４５４６Ｂ１では、同じ方向に回転する二つのディスクアセンブリを縦一列に配置することが知られている。更なる可能性として、同様にＵＳ６８２４５４６Ｂ１では、その二つのディスクアセンブリの間にある毛が伸ばされるように、縦一列に配置されたその二つのディスクアセンブリを反対方向に回転させることが知られている。これは、図１ａ及び１ｂに示され、そこにおいて、図１ａは、皮膚２４で動作中の従来技術である脱毛装置１０’の概略断面図を示し、図１ｂは、従来技術である脱毛装置１０’の動作面の概略上面図を示す。脱毛装置１０’は、第一列１４’に配置される第一ディスクアセンブリ１２’及び第二列１８’に配置される第二ディスクアセンブリ１６’を含む。第一ディスクアセンブリ１２’及び第二ディスクアセンブリ１６’は、矢印で示されるように、反対方向に回転させられる。結果として、ディスクアセンブリ１２’、１６’の間の皮膚２４’が伸ばされ、かつ、このことは、皮膚２４’における有利的な張力分布につながり、痛覚を引き起こす原因である自由神経終末の刺激を極小化させる。しかしながら、ディスクアセンブリ１２’、１６’の反対方向への回転は、脱毛処理のより低い効率性につながる。ディスクアセンブリの一つ、すなわち、ディスクアセンブリ１２’が、毛２６’、２８’、３０’を捕まえるのに不便な方向に回転させられるからであり、また、それにより、毛２６’について図解されるように、毛が押し下げられ得るからである。更に、ディスクアセンブリ１２’、１６’を反対方向に回転させることは、使用者の皮膚における脱毛装置１０’の劣悪な操作性につながる。
【先行技術文献】
【特許文献】
【０００３】
【特許文献１】米国特許第６８２４５４６号明細書
【発明の概要】
【発明が解決しようとする課題】
【０００４】
本発明の目的は、皮膚伸張機能を提供するがそれにもかかわらず良好な操作性及び高い効率性の双方を備える、冒頭の段落で言及された種類の脱毛装置を提供することである。
【課題を解決するための手段】
【０００５】
この目的は、独立請求項の特徴により達成される。更なる成果及び本発明の好適な実施例が従属請求項において概説される。
【０００６】
本発明の第一の態様に従って、第一列に配置された第一ディスクアセンブリと第二列に配置された少なくとも一つの第二ディスクアセンブリとを含む脱毛装置が提供され、そこにおいて、その装置の動作中、その第一ディスクアセンブリ及びその第二ディスクアセンブリは、同じ方向に回転し、また、その第一ディスクアセンブリの円周速度は、その第二ディスクアセンブリの円周速度とは異なる。ディスクアセンブリ群の異なる円周速度はまた、皮膚伸張効果をもたらすが、双方のディスクアセンブリは、毛を捕まえるのにうってつけの方向、すなわち、毛が自然に成長する方向とは反対の方向に回転させられ得る。更に、それらディスクアセンブリを同じ方向に回転させることは、脱毛装置の良好な操作性につながる。
【０００７】
本発明の第一実施例に従って、その第一ディスクアセンブリの回転速度は、異なる円周速度を生み出すために、その第二ディスクアセンブリの回転速度とは異なる。
【０００８】
そのような場合には、その第一ディスクアセンブリの直径がその第二ディスクアセンブリの直径に等しいことが好適である。そのような解決策により、それらディスクアセンブリは、同じものとなり得、また、このことは、より低い製造原価につながる。
【０００９】
本発明の第二実施例に従って、その第一ディスクアセンブリの直径は、異なる円周速度を生み出すために、第二ディスクアセンブリの直径とは異なる。
【００１０】
そのような場合には、その第一ディスクアセンブリの回転速度がその第二ディスクアセンブリの回転速度に等しいことが好適である。上述の第一及び第二実施例は、有用とされる場合には、組み合わせ可能であることは、当業者にとって明白である。
【００１１】
本発明の更なる成果に従って、その脱毛装置は、更に、第三列に配置され、かつ、第一ディスクアセンブリ及び第二ディスクアセンブリと同じ方向に回転することを目的とする第三ディスクアセンブリを含み、そこで、その第一ディスクアセンブリは、その第二ディスクアセンブリの前に配置され、かつ、その第三ディスクアセンブリは、その第二ディスクアセンブリに沿って配置される。そのような場合には、例えば、三つのディスクアセンブリが同じ幅を有し、かつ、中間領域にある皮膚だけが二つのディスクアセンブリによって処理され、一方で、外側領域にある皮膚が一つのディスクアセンブリだけによって処理されることがあり得る。
【００１２】
本発明の第二の態様に従って、第一ディスクアセンブリ及び少なくとも一つの第二ディスクアセンブリを含む脱毛装置が提供され、そこで、その装置の動作中に、その第一ディスクアセンブリ及びその第二ディスクアセンブリが実質的に同じ方向に回転し、かつ、その第一ディスクアセンブリ及び第二ディスクアセンブリが相互に対し角度を成して配置される。その第一ディスクアセンブリとその第二ディスクアセンブリとの間の角度が適切に選択されると、それらディスクアセンブリのそのような配置もまた、皮膚伸張効果をもたらすが、双方のディスクアセンブリは、実質的に、毛を捕まえるのにうってつけの方向、すなわち、毛が自然に成長する方向とは反対の方向に回転させられ得る。更に、それらのディスクアセンブリを実質的に同じ方向に回転させることは、脱毛装置の良好な操作性につながる。
【００１３】
この関係において、その第一ディスクアセンブリが第一列に配置され、かつ、その第二ディスクアセンブリが第二列に配置され、そこで、その第一列とその第二列とには、１７５°と１３５°との間、好適には１７０°と１４０°との間、最も好適には１６０°と１５０°との間となる第一角度があるのが好適である。
【００１４】
また、本発明の第二の態様に関連して、脱毛装置が第三ディスクアセンブリを含み、そこで、その第一ディスクアセンブリ及び第三ディスクアセンブリが相互に対して角度を成して配置されることが可能である。そのような配置により、例えば、中間にあるディスクアセンブリが、毛を捕まえるのにうってつけの方向に回転させられ、一方で、外側の二つのディスクアセンブリが、実質的に、皮膚伸張機能をもたらすのにうってつけの方向だけに回転させられることが可能である。
【００１５】
更なる角度の適切な選択に関しては、その第一ディスクアセンブリが第一列に配置され、かつ、その第三ディスクアセンブリが第三列に配置され、そこで、その第一列と第三列とには、１７５°と１３５°との間、好適には、１７０°と１４０°との間、最も好適には１６０°と１５０°との間となる第二角度があるのが好適である。
【００１６】
本発明の上述の、また、更なる態様及び有利点は、以下で説明され、かつ、図面で示される実施例から明らかとなり、それらを参照することによって解明される。
【図面の簡単な説明】
【００１７】
【図１ａ】上述のように、皮膚において動作中である従来技術の脱毛装置の概略断面図を示す。
【図１ｂ】図１ａの従来技術の脱毛装置の動作面における概略上面図を示す。
【図２ａ】本発明に従った脱毛装置の第一実施例の概略断面図を示す。
【図２ｂ】図２ａの脱毛装置の動作面における概略上面図を示す。
【図３ａ】本発明に従った脱毛装置の第二実施例の概略断面図を示す。
【図３ｂ】図３ａの脱毛装置の動作面における概略上面図を示す。
【図４ａ】本発明に従った脱毛装置の第三実施例の概略断面図を示す。
【図４ｂ】図４ａの脱毛装置の動作面における概略上面図を示す。
【発明を実施するための形態】
【００１８】
図面全体を通して、等しい又は同等の参照番号が、等しい又は同等の構成要素を表示するために使用され、また、これらの構成要素の少なくともいくつかは、重複を避けるために一度だけ説明される。
【実施例】
【００１９】
図２ａ及び２ｂは、本発明に従った脱毛装置１０の第一実施例を示す。脱毛装置１０は、第一列１４に配置される第一ディスクアセンブリ１２、及び、第二列１８に配置される第二ディスクアセンブリ１６を含む。図２ｂで最もよく見られ得るように、二つの列１４、１８は、この第一実施例では、平行に配置される。ディスクアセンブリ１２、１６又はロール状ピンセットの構造は、それ自体、当業者によく知られており、そしてそれ故に、ここでは説明されない。図２ａ及び２ｂに示される第一実施例に従って、ディスクアセンブリ１２、１６は、図２ａにおける矢印で示されるように、同じ方向であるが異なる回転速度で回転させられる。ディスクアセンブリ１２、１６が同じ直径を有するので、異なる回転速度は、異なる円周速度をもたらす。第二ディスクアセンブリ１６が第一ディスクアセンブリ１２より高い速度で回転させられると、ディスクアセンブリ１２と１６との間の皮膚２４が伸ばされ、そして、このことは、皮膚２４における有利的な張力分散につながり、痛覚を引き起こす原因である自由神経終末の刺激を極小化させる。
【００２０】
更に、ディスクアセンブリ１２、１６の双方は、毛２６、２８、３０を捕まえるのにうってつけの方向、すなわち、毛２６、２８、３０が自然に成長する方向とは反対の方向に回転させられる。従って、高い効率性が達成され、かつ、脱毛装置１０の操作性は、優れたものとなる。
【００２１】
図３ａ及び３ｂは、本発明に従った脱毛装置１０の第二実施例を示す。脱毛装置１０は、第一列１４に配置された第一ディスクアセンブリ１２、第二列１８に配置された第二ディスクアセンブリ１６、及び、第三列２２に配置された第三ディスクアセンブリ２０を含む。
【００２２】
図３ｂで最も良く見られ得るように、第三ディスクアセンブリ２０は、第二ディスクアセンブリ１６に沿って配置され、かつ、第一ディスクアセンブリ１２は、脱毛装置１０の好適な移動方向に関して、第二ディスクアセンブリ１６及び第三ディスクアセンブリ２０の前に配置される。第一ディスクアセンブリ１２の直径は、第二ディスクアセンブリ１６及び第三ディスクアセンブリ２０の直径の約１．５倍である。従って、全てのディスクアセンブリ１２、１６、２０が、指示された方向に、例えば、同じ回転速度で回転させられたとき、第一ディスクアセンブリ１２の円周速度は、他のディスクアセンブリ１６、２０の円周速度よりも高くなる。このことはまた、ディスクアセンブリ１２、１６、２０間にある皮膚２４の所望の伸張をもたらす。図３ａ及び３ｂに図示される第二実施例によると、中間領域にある皮膚２４だけが二つのディスクアセンブリ１２及び１６、又は、１２及び２０によって処理される。外側領域の皮膚２４は、一つのディスクアセンブリ１６又は２０のみによって処理される。同様にこの場合、全てのディスクアセンブリ１２、１６、２０は、毛２６、２８、３０を捕まえるのにうってつけの方向、すなわち、毛２６、２８、３０が自然に成長する方向とは反対の方向に回転させられ、高い効率性と脱毛装置１０の優れた操作性とをもたらす。
【００２３】
図４ａ及び４ｂは、本発明に従った脱毛装置１０の第三実施例を示す。図示される脱毛装置１０は、第一列１４に配置される第一ディスクアセンブリ１２、第二列１８に配置される第二ディスクアセンブリ１６、及び、第三列２２に配置される第三ディスクアセンブリ２０を含む。装置１０の動作中、第一ディスクアセンブリ１２、第二ディスクアセンブリ１６及び第三ディスクアセンブリ２０は、矢印で示されるように、実質的に同じ方向に回転させられる。ディスクアセンブリ１２、１６、２０は、それに限定されるものではないが、同じ直径を有していてもよい。更に、全てのディスクアセンブリ１２、１６、２０の円周速度は、同じものであってもよい。この実施例では、皮膚伸張効果が、図４ａ及び４ｂに示されるディスクアセンブリ１２、１６、２０がただ“実質的に”同じ方向に回転させられるという事実によって実現されるからである。これは、皮膚伸張効果を実現するために、第一列１４が、図示されるように、第二列１８及び第三列２２の双方との間で、例えば、約１５５°の角度を含むという事実によるものである。そのような配置は、脱毛装置１０の操作性にあまり影響を与えることはないが、痛みを抑えた脱毛処理の高い効率性をもたらす。
【００２４】
最後に、上に記載されない均等物及び変形物もまた、添付の請求項で規定される本発明の範囲を逸脱することなく採用される場合があるという点に注意すべきである。特に、第一及び第二の態様に従った上述の解決策は、問題なく組み合わせられることができ、これが有利的であるとされれば、そのような実施例も同様に、本明細書に開示されているものとされるのは、当業者にとって明白である。
【図１ａ】
0005411948.tif 000002
【図１ｂ】
0005411948.tif 000003
【図２ａ】
0005411948.tif 000004
【図２ｂ】
0005411948.tif 000005
【図３ａ】
0005411948.tif 000006
【図３ｂ】
0005411948.tif 000007
【図４ａ】
0005411948.tif 000008
【図４ｂ】
0005411948.tif 000009